(57)【要約】【課題】組み立てが便利であるジョギング機の組立て構造を提供する。【解決手段】台座１と、蓋とを含む。台座１の上には滑り性を有するジョギング板１２が設けられており、ジョギング板１２にはジョギングベルト４が巻かれている。ジョギングベルト４を駆動してジョギング板１２で回すための動力源５がジョギングベルト４の一端に設けられており、且つ動力源５の上には動力源５を保護するためのケーシング５１がカバーしている。蓋の内部と台座１のジョギングベルト４との間にジョギング空間を形成するように蓋は台座１の上に係止されている。蓋の動力源５の反対側にはペットをジョギング空間に入出するための開け蓋２４が枢設している。蓋が嵌め方式にて台座１に組み付けられているため、ジョギング機の組み付けは極めて便利である。【選択図】　　図２
0003097054.tif 000002
【実用新案登録請求の範囲】
【請求項１】
台座と、蓋とを備えるジョギング機の組立て構造であって、前記台座の上には滑り性を有するジョギング板が設けられており、前記ジョギング板にはジョギングベルトが巻かれており、前記ジョギングベルトを駆動して前記ジョギング板で回すための動力源が台座に設けた前記ジョギングベルトの一端に設けられており、且つ前記動力源の上には前記動力源を保護するためのケーシングがカバーしており、
前記蓋の内部と前記台座のジョギングベルトとの間にジョギング空間を形成するように前記蓋は前記台座の上に係止され、前記蓋の動力源の反対側にはペットを前記ジョギング空間に入出するための開け蓋が枢設されていることを特徴とするジョギング機の組立て構造。
【請求項２】
前記台座は、頂面を有し、前記ジョギング板は前記頂面に固定して設けられ、前記台座は頂面の前記動力源が位置している一端を前端部とし、他端を後端部とし、前記台座の前端部の底部の両側には別々にローラが枢設されており、前記ジョギングベルトの長手方向の両側に位置した前記台座の頂面には多数の係止孔が設けられており、前記各係止孔はそれぞれ小幅部を有し、前記台座の頂面の前端部には多数の嵌め孔が設けられており、前記各係止孔と嵌め孔とは前記蓋を固定するためのものであることを特徴とする請求項１に記載のジョギング機の組立て構造。
【請求項３】
前記蓋は、二つの側蓋と、頂蓋と、前蓋と、開け蓋とから構成され、
前記二側蓋の底部は前記台座の両側の係止孔に別々に係止され、且つ各前記側蓋はそれぞれ前記台座の前端部から後端部まで伸びる円弧形の頂周縁を有し、各前記側蓋の底部は前記各係止孔に応じて別々に係止ピンを有し、前記係止ピンは前記係止孔の小幅部に係止されるための係止部を有し、
前記頂蓋は二つの前記側蓋の頂周縁の中央に設けられ、且つ前記頂蓋の周縁の曲線が二つの前記側蓋の頂周縁の中央の曲線に合い、前記頂蓋の前記台座の後端部に近接する一端には開け蓋が枢接しており、
前記前蓋は一端が前記台座の頂面の前端部に嵌めて固定され、且つ前記前端部の各嵌め孔に応じてそれぞれ嵌めピンを有し、前記嵌めピンが対応する各嵌め孔に嵌めて固定され、前記前蓋の他端は前記側蓋の頂周縁に沿って前記頂蓋が開け蓋と枢接する処まで伸び、
前記開け蓋は一端が前記頂蓋と枢接し、他端が前記側蓋の頂周縁に沿って前記台座の後端部まで伸びていることを特徴とする請求項２に記載のジョギング機の組立て構造。
【請求項４】
前記側蓋の頂周縁は、頂蓋を定位するための多数の定位ピンを有し、前記頂蓋の両側の底部は前記各側蓋の定位ピンに応じてそれぞれ定位孔を有し、前記定位ピンが各定位孔に別々に嵌めて固定されていることを特徴とする請求項３に記載のジョギング機の組立て構造。
【請求項５】
前記頂蓋の前記台座の後端部に近接する一端は、枢接座を有し、前記開け蓋の一端には前記頂蓋の枢接座の中に枢接されるための枢接部を有することを特徴とする請求項３に記載のジョギング機の組立て構造。
【請求項６】
各前記側蓋には、それぞれ通気するための通気孔が開いていることを特徴とする請求項３に記載のジョギング機の組立て構造。
【請求項７】
前記前蓋には、通気するための通気孔が開いていることを特徴とする請求項３に記載のジョギング機の組立て構造。
【請求項８】
前記開け蓋には、通気するための多数の通気孔が開いていることを特徴とする請求項３に記載のジョギング機の組立て構造。
【請求項９】
前記頂蓋には、観賞するための覗き窓が開いていることを特徴とする請求項３に記載のジョギング機の組立て構造。
【請求項１０】
前記台座と、側蓋と、頂蓋と、前蓋と、開け蓋とは、全て樹脂で一体成型されたものであることを特徴とする請求項３に記載のジョギング機の組立て構造。
【請求項１１】
前記蓋は、さらに盆体を含み、前記盆体は二つの側蓋の間に設けられ、且つ前記台座のジョギングベルトに近接し、二つの側蓋の裏面の前記盆体の両側に対応した個所は別々に突起を有し、前記盆体が前記突起に寄り掛かることを特徴とする請求項３に記載のジョギング機の組立て構造。
【考案の詳細な説明】
【０００１】
【考案の属する技術分野】
本考案は、ジョギング機の組立て構造に係り、特に、組み立てが便利になったジョギング機の組立て構造に関する。
【０００２】
【従来の技術】
目下のジョギング機は、図１０に示すように、台座７の上にジョギング台８を設け、前記ジョギング台８はモータに駆動されて循環回転するジョギングベルト８１を有し、使用者が前記ジョギングベルト８１の上でジョギングする。なお、前記台座７の両側は別々に上へ延びた支持アーム７１を有し、二支持アーム７１の頂端には別々に手すり７２が設けられており、なお、二手すり７２の間には制御パネル７３が設けられており、前記手すり７２が使用者の寄り掛かりを提供し、なお、前記制御パネル７３により前記ジョギング台８の回転速度及び傾斜度を調整することができる。
【０００３】
従来のジョギング機を組立てる際には、まず、鉄チューブを溶接して台座７を製作し、また、前記ジョギング台８のフレームを製作し、且つ前記ジョギング台８にジョギングベルト８１及びモータなどの部材を組み付けてから、溶接や締め付けなどの方法により二支持アーム７１を前記台座の両側に組み付け、また、二支持アーム７１の間に前記ジョギング台８の前端を枢設する。従来のジョギング機の組み立ては、溶接、締め付け及び枢接などの工程を実施することが必要なので、極めて不便である。
【０００４】
また、従来のジョギング機により猫や犬などのペットをジョギングさせる際には、ペットの転落を回避するために、前記ジョギング台８の両側には別々に欄干８２が溶接されており、図１１に示すように、ペットを保護し、且つペットの活動範囲を前記ジョギング台８に制限するために、ペットにチェン８３をロックしている。しかしながら、そのような設計は、外観が醜い他、ペットも怪我をしやすい。
【０００５】
【考案が解決しようとする課題】
本考案の主な目的は、蓋の側蓋を嵌め方式にて台座に組み付けるため、ジョギング機の組み付けが極めて便利になり、組立ての手間及び時間を低減することができ、ひいては組立てコストを低減できるジョギング機の組立て構造を提供することにある。
【０００６】
本考案のもう一つの目的は、ペットがジョギングしている際に、ペットは蓋に阻まれて、前記台座のジョギングベルトでジョギングし、且つ前記蓋がペットを保護して転落を防止し、なお、前記開け蓋を上げると、ペットが入出できるジョギング機の組立て構造を提供することにある。
【０００７】
本考案のもう一つの目的は、ジョギング機の蓋には通気孔と覗き窓とが設けられており、通気できる他、ペットのジョギングしている状態を観察することができるジョギング機の組立て構造を提供することにある。
【０００８】
本考案のもう一つの目的は、ジョギング機は更に盆体を有し、前記盆体は前記蓋の底部に設けられ、且つ前記台座のジョギングベルトに近接し、これにより、ペットは前記盆体で休憩することができ、すなわち、ジョギング機はペットの憩い処になることもできるジョギング機の組立て構造を提供することにある。
【０００９】
【課題を解決するための手段】
上記目的を達成するためになされた本考案の請求項１は、台座と、蓋とを含むジョギング機の組立て構造であって、前記台座の上には滑り性を有するジョギング板が設けられており、前記ジョギング板にはジョギングベルトが巻かれており、なお、前記ジョギングベルトを駆動して前記ジョギング板で回すための動力源が台座に設けた前記ジョギングベルトの一端に設けられており、且つ前記動力源の上には前記動力源を保護するためのケーシングがカバーしており、前記蓋の内部と前記台座のジョギングベルトとの間にジョギング空間を形成するように前記蓋は前記台座の上に係止され、なお、前記蓋の動力源の反対側にはペットを前記ジョギング空間に入出するための開け蓋が枢設していることを特徴とするジョギング機の組立て構造であることを要旨としている。
【００１０】
本考案の請求項２では、前記台座は頂面を有し、前記ジョギング板は前記頂面に固定して設けられ、なお、前記台座は頂面の前記動力源が位置している一端を前端部とし、他端を後端部とし、前記台座の前端部の底部の両側には別々にローラが枢設しており、なお、前記ジョギングベルトの長手方向の両側に位置した前記台座の頂面には多数の係止孔が設けられており、前記各係止孔はそれぞれ小幅部を有し、なお、前記台座の頂面の前端部には多数の嵌め孔が設けられており、前記各係止孔と嵌め孔とは前記蓋を固定するためのものであることを特徴とする請求項１に記載のジョギング機の組立て構造であることを要旨としている。
【００１１】
本考案の請求項３では、前記蓋は、二側蓋と、頂蓋と、前蓋と、開け蓋とから構成されるジョギング機の組立て構造であって、前記二側蓋の底部は別々に前記台座の両側の係止孔に係止され、且つ前記各側蓋はそれぞれ前記台座の前端部から後端部まで伸びる円弧形の頂周縁を有し、なお、前記各側蓋の底部は前記各係止孔に応じて別々に係止ピンを有し、前記係止ピンは前記係止孔の小幅部に係止されるための係止部を有し、前記頂蓋は前記二側蓋の頂周縁の中央に設けられ、且つ前記頂蓋の周縁の曲線が前記二側蓋の頂周縁の中央の曲線に合い、なお、前記頂蓋の前記台座の後端部に近接する一端には開け蓋が枢接しており、前記前蓋は一端が前記台座の頂面の前端部に嵌めて固定され、且つ前記前端部の各嵌め孔に応じてそれぞれ嵌めピンを有し、前記嵌めピンが対応する各嵌め孔に嵌めて固定され、なお、前記前蓋の他端は前記側蓋の頂周縁に沿って前記頂蓋が開け蓋と枢接する処まで伸び、前記開け蓋は一端が前記頂蓋と枢接し、他端が前記側蓋の頂周縁に沿って前記台座の後端部まで伸びていることを特徴とする請求項２に記載のジョギング機の組立て構造であることを要旨としている。
【００１２】
本考案の請求項４では、前記側蓋の頂周縁は頂蓋を定位するための多数の定位ピンを有し、なお、前記頂蓋の両側の底部は前記各側蓋の定位ピンに応じてそれぞれ定位孔を有し、前記定位ピンが別々に各定位孔に嵌めて固定されていることを特徴とする請求項３に記載のジョギング機の組立て構造であることを要旨としている。
【００１３】
本考案の請求項５では、前記頂蓋の前記台座の後端部に近接する一端は枢接座を有し、なお、前記開け蓋の一端には前記頂蓋の枢接座のなかに枢接されるための枢接部を有することを特徴とする請求項３に記載のジョギング機の組立て構造であることを要旨としている。
【００１４】
本考案の請求項６では、前記各側蓋にはそれぞれ通気するための通気孔が開いていることを特徴とする請求項３に記載のジョギング機の組立て構造であることを要旨としている。
本考案の請求項７では、前記前蓋には通気するための通気孔が開いていることを特徴とする請求項３に記載のジョギング機の組立て構造であることを要旨としている。
【００１５】
本考案の請求項８では、前記開け蓋には通気するための多数の通気孔が開いていることを特徴とする請求項３に記載のジョギング機の組立て構造であることを要旨としている。
本考案の請求項９では、前記頂蓋には観賞するための覗き窓が開いていることを特徴とする請求項３に記載のジョギング機の組立て構造であることを要旨としている。
【００１６】
本考案の請求項１０では、前記台座と、側蓋と、頂蓋と、前蓋と、開け蓋とは、全て樹脂で一体成型されたものであることを特徴とする請求項３に記載のジョギング機の組立て構造であることを要旨としている。
本考案の請求項１１では、前記蓋はさらに盆体を含み、前記盆体は二側蓋の間に設けられ、且つ前記台座のジョギングベルトに近接し、なお、二側蓋の裏面の前記盆体の両側に対応した処は別々に突起を有し、前記盆体が前記突起に寄り掛かることを特徴とする請求項３に記載のジョギング機の組立て構造であることを要旨としている。
【００１７】
【考案の実施の形態】
本考案の実施例は、台座１と、蓋２とを含む。
前記台座１は樹脂で一体成型されたものであり、前記台座１は頂面１１を有し、前記頂面１１の上には滑り性を有するジョギング板１２が設けられており、前記ジョギング板１２にはジョギングベルト４が巻かれており、なお、前記ジョギングベルト４を駆動して前記ジョギング板１２で回すための動力源５が台座１に設けた前記ジョギングベルト４の一端に設けられており、本実施例では、前記動力源５は減速モータであり、且つ前記動力源５の上には前記動力源５を保護するためのケーシング５１がカバーしている。
【００１８】
前記台座１は頂面１１の前記動力源５が位置する一端を前端部１１１とし、他端を後端部１１２とし、前記台座１の前端部１１１の底部の両側には別々にローラ１３が枢設しており、なお、前記ジョギングベルト１１の長手方向の両側に位置した前記台座１の頂面１１には多数の係止孔１４が設けられており、前記各係止孔１４はそれぞれ小幅部１４１を有し、なお、前記台座１の頂面１１の前端部１１１には多数の嵌め孔１５が設けられており、前記各係止孔１４と嵌め孔１５とは前記蓋２を固定するためのものである。
【００１９】
前記蓋２は、二側蓋２１と、頂蓋２２と、前蓋２３と、開け蓋２４とから構成され、前記蓋２の内部と前記台座１のジョギングベルト４との間にジョギング空間２５を形成するように前記蓋２は前記台座１の上に係止されている。
【００２０】
前記二側蓋２１は、樹脂で一体成型されたものであり、その底部は別々に前記台座１の両側の係止孔１４に係止され、且つ前記各側蓋２１はそれぞれ前記台座１の前端部１１１から後端部１１２まで伸びた円弧形の頂周縁２１１を有し、なお、前記各側蓋２１の底部は前記各係止孔１４に応じて別々に係止ピン２１２を有し、前記係止ピン２１２は前記係止孔１４の小幅部１４１に係止されるための係止部２１３を有し、前記側蓋２１の頂周縁２１１は頂蓋２２を定位するための多数の定位ピン２１４を有し、且つ前記各側蓋２１にはそれぞれ通気するための通気孔２１５が開いている。
【００２１】
前記頂蓋２２は、樹脂で一体成型されたものであり、前記二側蓋２１の頂周縁２１１の中央に設けられ、且つ前記頂蓋２２の周縁の曲線は前記二側蓋２１の頂周縁２１１の中央の曲線に合い、前記頂蓋２２の両側の底部は前記各側蓋２１の定位ピン２１４に応じてそれぞれ定位孔２２１を有し、前記定位ピン２１４が別々に各定位孔２２１に嵌めて固定され、なお、前記頂蓋２２の中央には楕円形の覗き窓が開いており、前記頂蓋２２の前記台座１の後端部１１２に近接する一端は開け蓋２４を枢接するための枢接座２２３を有する。
【００２２】
前記前蓋２３は、樹脂で一体成型されたものであり、その一端が前記台座１の頂面１１の前端部１１１に嵌めて固定され、且つ前記前端部１１１の各嵌め孔１５に応じてそれぞれ嵌めピン２３１を有し、前記嵌めピン２３１が対応した各嵌め孔１５に嵌めて固定され、なお、前記前蓋２３の他端は前記側蓋２１の頂周縁２１１に沿って前記頂蓋２２が開け蓋２４と枢接する処まで伸び、且つ前記側蓋２１の頂周縁２１１に締付けられ、なお、前記前蓋２３には通気するための通気孔２３２が開いている。
【００２３】
前記開け蓋は、樹脂で一体成型されたものであり、その一端は前記頂蓋２２の枢接座２と枢接するための枢接部２４１を有し、他端は前記側蓋２１の頂周縁２１１に沿って前記台座１の頂面１１の後端部１１２まで伸び、且つ前記開け蓋２４には通気するための多数の通気孔２４２が開いている。
【００２４】
上記構成を組立てる際には、まず、前記台座１の頂面１１の係止孔１４に二側蓋２１の底部の係止ピン２１２を係止し、そうすると、二側蓋２１が前記台座１に固定される。また、二側蓋２１の頂周縁２１１の定位ピン２１４に前記頂蓋２２の定位孔２２１を嵌めて固定し、また、前記台座１の頂面１１の嵌め孔１５に前記前蓋２３の嵌めピン２３１を嵌めて固定し、また、前記開け蓋２４の枢接部２４１を前記頂蓋２２の枢接座２２３のなかに枢接させ、最後に、多数のねじにて頂蓋２２と前蓋２３とを二側蓋２１に締付けて固定すると、組立て作業が終了する。
【００２５】
前記蓋２の側蓋２１と、頂蓋２２と、前蓋２３と、開け蓋２４とは全て嵌め方式にて前記台座１に組み付けられるため、本考案に係るジョギング機の組み立ては極めて便利になり、組立ての手間及び時間を低減することができ、ひいては組立てコストを低減できる。
【００２６】
ペットがジョギングしている際には、ペットは蓋２の側蓋２１と、頂蓋２２と、前蓋２３と、開け蓋２４とに阻まれて、前記台座１のジョギングベルト４でジョギングし、且つ前記蓋２がペットを保護して転落を防止し、なお、前記開け蓋２４が前記頂蓋２２に枢接されているため、開け蓋２４を上げると、ペットは入出できる。
【００２７】
また、本実施例に係るジョギング機の側蓋２１と、頂蓋２２と、前蓋２３と、開け蓋２４とは、別々に通気孔２４、通気孔４２及び通気孔５２と覗き窓３２とが設けられているため、通気できるとともに、ペットのジョギングしている状態を観賞することもできる。
【００２８】
また、ジョギング機は更に盆体３を有し、図９に示すように、前記盆体３は前記二側蓋２１の間に設けられ、且つ前記台座１のジョギングベルト４に近接し、なお、二側蓋２１の裏側は前記盆体３の両側に応じて別々に突起２１６を有し、前記盆体３が突起２１６に寄り掛かる。これにより、ペットは前記盆体３で休憩することができ、すなわち、ジョギング機はペットの憩い処になることもできる。
【００２９】
本考案は次のような効果がある。
（イ）蓋の側蓋が嵌め方式にて台座に組み付けられているため、ジョギング機の組み付けは極めて便利になり、組立ての手間及び時間を低減することができ、ひいては組立てコストを低減できる。
【００３０】
（ロ）ペットがジョギングしている際には、ペットは蓋に阻まれて前記台座のジョギングベルトでジョギングし、且つ前記蓋がペットを保護して転落を防止し、なお、前記開け蓋が前記頂蓋に枢接されているため、開け蓋を上げると、ペットは入出できる。
【００３１】
（ハ）ジョギング機の蓋には通気孔と覗き窓とが設けられており、通気できる他、ペットのジョギングしている状態を観察することができる。
（二）ジョギング機は更に盆体を有し、前記盆体は前記蓋の底部に設けられ、且つ前記台座のジョギングベルトに近接し、これにより、ペットは前記盆体で休憩することができ、すなわち、ジョギング機はペットの憩い処になることもできる。
【図面の簡単な説明】
【図１】本考案の一実施例によるジョギング機の組立て構造を示す斜視図である。
【図２】本考案の一実施例によるジョギング機の組立て構造を示す分解斜視図である。
【図３】本考案の一実施例によるジョギング機の組立て構造の係止ピンが係止孔に係止されている状態を示す模式図である。
【図４】本考案の一実施例によるジョギング機の組立て構造の定位ピンが定位孔に固定されている状態を示す模式図である。
【図５】本考案の一実施例によるジョギング機の組立て構造の嵌めピンが嵌め孔に固定されている状態を示す模式図である。
【図６】本考案の一実施例によるジョギング機の組立て構造の前蓋の一端が側蓋に固定されている状態を示す模式図である。
【図７】本考案の一実施例によるジョギング機の組立て構造の前蓋を上げた状態を示す斜視図である。
【図８】本考案の一実施例によるジョギング機の組立て構造がペットの運動を提供する状態を示す模式図である。
【図９】本考案の一実施例によるジョギング機の組立て構造の盆体が二側蓋の間に設けられている状態を示す斜視図である。
【図１０】従来のジョギング機の斜視図である。
【図１１】従来のジョギング機がペットのジョギングを提供する模式図である。
【符号の説明】
１　　台座
２　　蓋
３　　盆体
４　　ジョギングベルト
５　　動力源
１１　　頂面
１２　　ジョギング板
１３　　ローラ
１４　　係止孔
１５　　嵌め孔
２１　　側蓋
２２　　頂蓋
２３　　前蓋
２４　　開け蓋
２５　　ジョギング空間
５１　　ケーシング
１１１　　前端部
１１２　　後端部
１４１　　小幅部
２１１　　頂周縁
２１２　　係止ピン
２１３　　係止部
２１４　　定位ピン
２１５　　通気孔
２１６　　突起
２２１　　定位孔
２２２　　覗き窓
２２３　　枢接座
２３１　　嵌めピン
２３２　　通気孔
２４１　　枢接部
２４２　　通気孔
【図１】
0003097054.tif 000003
【図２】
0003097054.tif 000004
【図３】
0003097054.tif 000005
【図４】
0003097054.tif 000006
【図５】
0003097054.tif 000007
【図６】
0003097054.tif 000008
【図７】
0003097054.tif 000009
【図８】
0003097054.tif 000010
【図９】
0003097054.tif 000011
【図１０】
0003097054.tif 000012
【図１１】
0003097054.tif 000013